(57)【要約】【課題】本発明の目的は、作業者を増加することなく確実にかごの移動を阻止することのできるエレベーター装置を提供することにある。【解決手段】昇降路７と、この昇降路７内を昇降するかご１と、このかご１と反対方向に昇降するつり合おもり２と、上記かご１及びつり合おもり２のガイドレール５、６と、上記かご１とつり合おもり２とを懸架する主索３と、昇降路７内下方に配置された機器（巻上機４、制御装置９）とを有するエレベーター装置において、上記昇降路７内下方に配置された機器を保守する時、上記つり合いおもり２を、昇降路７に固定する固定手段１０を設けた構成。【選択図】      図１
2004161432.tif 000002
【特許請求の範囲】
【請求項１】
昇降路と、この昇降路内を昇降するかごと、このかごと反対方向に昇降するつり合おもりと、上記かご及びつり合おもりのガイドレールと、上記かごとつり合おもりとを懸架する主索と、昇降路内下方に配置された機器とを有するエレベーター装置において、
上記昇降路内下方に配置された機器を保守する時、上記つり合いおもりを、昇降路に固定する固定手段を設けたことを特徴とするエレベーター装置。
【請求項２】
上記つり合いおもりを、つり合いおもり用ガイドレールに固定したことを特徴とする請求項１記載のエレベーター装置。
【請求項３】
上記つり合いおもり用ガイドレールに、平常時、上記つり合いおもりの運行に支障をきたすことのないように支持部材を設け、この支持部材に、上記つり合いおもりを固定したことを特徴とする請求項１記載のエレベーター装置。
【請求項４】
上記固定手段を、上記つり合いおもりに取り外し自在に設けられる固定ボルトとしたことを特徴とする請求項１記載のエレベーター装置。
【発明の詳細な説明】
【０００１】
【発明の属する技術分野】
本発明はエレベーター装置に係り、特に、昇降路下方に配置された機器を保守するのに好適なエレベーター装置に関する。
【０００２】
【従来の技術】
一般に、昇降路下方に配置された巻上機等の機器を保守する場合、かごが下降してくるのを防止するため、かごの移動を防止するようになっていた。この移動防止手段として従来、緩衝器の両側に支え治具を立設し、この支え治具上につり合いおもりを載置するものが提案されている（例えば、特許文献１参照。）。また、つり合いおもりの一部を取り外してかごの重量をつり合いおもりよりも重くし、その後、つり合いおもりが上方に移動しないように治具により支持したものが提案されている（例えば、特許文献２参照。）。更に、かごの移動を完全に阻止するものとして、かごの上方にロック装置を設け、かごを最上部に移動した時、作業者がこのロック装置を操作して、ガイドレールに設けた固定機構に固定するものが提案されている（例えば、特許文献３参照。）。
【０００３】
【特許文献１】
特開平１１−１２４２８５号公報
（段落番号００２５、００２６、図１）
【０００４】
【特許文献２】
特開２００１−１９２１９０号公報（段落番号００３２、図１１）
【０００５】
【特許文献３】
特開２０００−２０３７７４号公報
（段落番号００４２、００４３、図３、図４）
【０００６】
【発明が解決しようとする課題】
上記提案されたつり合いおもりを支え治具上に載置するものにおいては、上記つり合いおもりを支え治具上に載置するだけであるため、何等かの理由で巻上機が駆動した場合、かごが下降するという問題があった。また、つり合いおもりを上方に移動しないようにしたものでは、つり合いおもりの一部を取り外したり取付けたりという煩わしい仕事が生じるばかりか、万一、巻上機が駆動した場合、つり合いおもりが下降するという問題があった。更に、かご上にロック装置を設けたものでは、このロック装置を操作した後、かごから降りることができないため、昇降路内での作業者の他に、このロック装置を操作する専任の作業者が必要になるという大きな問題があった。
【０００７】
本発明の目的は、作業者を増加することなく確実にかごの移動を阻止することのできるエレベーター装置を提供することにある。
【０００８】
【課題を解決するための手段】
上記目的を達成するために本発明は、昇降路と、この昇降路内を昇降するかごと、このかごと反対方向に昇降するつり合おもりと、上記かご及びつり合おもりのガイドレールと、上記かごとつり合おもりとを懸架する主索と、昇降路内下方に配置された機器とを有するエレベーター装置において、上記昇降路内下方に配置された機器を保守する時、上記つり合いおもりを、昇降路に固定する固定手段を設けたことを特徴とする。
【０００９】
上記構成によれば、つり合いおもりが昇降路に固定されるため、万一、巻上機等が駆動しても、かごは勿論のことつり合いおもりも移動すことがなく安全に作業を行うことができる。また、つり合いおもりの固定作業は、ピット内作業であるため、機器の作業を行う作業者が行うことができ、固定のために他の作業者を設ける必要がない。
【００１０】
【発明の実施の形態】
以下本発明のエレベーター装置の実施の形態を図に基づいて説明する。
【００１１】
図１は本発明の一実施形態になるエレベーター装置の概略を示す側面図、図２はつり合いおもりをガイドレールに固定した時の状態を示す側面図、図３は図２を上側から見た平面図である。
【００１２】
図１において、１は昇降路７内を人および荷物を載せて昇降するかご、２は上記かご１の重量を補償し、上記かご１と反対方向に昇降するつり合いおもりで、このつり合いおもり２は、着脱可能なおもり２ａと、このおもり２ａを支えるつり合いおもり枠２ｂと、吊り車２ｃとから構成されている。３は上記かご１と上記つり合いおもりを懸架している主索４は上記主索３を介してかごとつり合いおもりとを駆動し昇降させる巻上機で、昇降路７の下部のピット７ａに固定されている。５は上記かご１を垂直方向へ案内するかご用ガイドレール、６は上記つり合いおもり２を垂直方向へ案内するつり合いおもり用ガイドレール、８はつり合いおもり用緩衝器、９は昇降路７の下部に設けられた制御装置、１０は上記巻上機４或いは上記制御装置９などの機器の保守時、上記つり合いおもり枠２ｂに取付けられる固定手段を構成する固定ボルト、１１は上記つり合いおもり用ガイドレール６に固定された支持部材で、この支持部材１１は平常時、上記つり合いおもり２の運行に支障のないようＵ字形に構成され、底部１１ａがつり合いおもり用ガイドレール６にボルト１２で固定され、両側部１１ｂ，１１ｃが上記つり合いおもり２の側部と間隔をおいてラップするように設けられている。
【００１３】
次に、昇降路下方に配置された機器を保守する時の手順について説明する。上記制御装置９を制御して上記巻上機４を駆動し、上記主策３を介して上記かご１と上記つり合おもり２を昇降させ、かご１を最上階に、つり合おもり２を最下階付近に位置させる。その後、作業者１３はピット７ａに入り、固定ボルト１０を支持部材１１の側部１１ｃから、つり合いおもり枠２ｂ，側部１１ｂと挿入し固定する。この固定した状態で作業を行い、そして、ピット７ａの作業終了後、固定ボルト１０を外す。
【００１４】
上記のように、ピット作業中、つり合いおもり２が固定されているため、主索３で支持されているかご１とつり合いおもり２は、万一、巻上機４が駆動したとしても移動することはない。したがって、作業者１３は安心して作業を行うことができる。また、ピット７ａに入った作業者１３が固定作業を行うことができ、作業者の増加などを生じることがない。
【００１５】
尚、上記一実施形態では、つり合いおもり用ガイドレール６に支持部材１１を設け、固定ボルト１０で固定するようにしたが、昇降路７の側壁に支持部材を固定しておき、これにつり合いおもり２を固定するようにしても良い。また、つり合いおもり６に貫通穴を設けておき、この穴に固定ボルトを挿入して固定しても良い。また、固定ボルト１０を用いた例を説明したが、固定ボルトではなくピンを用いて固定してもよい。
【００１６】
【発明の効果】
本発明によれば、つり合いおもりが昇降路に固定されるため、万一、巻上機等が駆動しても、かごは勿論のことつり合いおもりも移動すことがなく安全に作業を行うことができる。また、つり合いおもりの固定作業は、ピット内作業であるため、機器の作業を行う作業者が行うことができ、固定のために他の作業者を設ける必要がない等の顕著な効果を達成することができる。
【図面の簡単な説明】
【図１】本発明の一実施形態になるエレベーター装置の概略を示す側面図である。
【図２】つり合いおもりをガイドレールに固定した時の状態を示す側面図である。
【図３】図２を上側から見た平面図である。
【符号の説明】
１    かご
２    つり合いおもり
２ｂ  つり合いおもり枠
３    主索
４    巻上機
６    つり合いおもり用ガイドレール
７    昇降路
７ａ  ピット
９    制御装置
１０  固定手段
１１  支持部材
【図１】
2004161432.tif 000003
【図２】
2004161432.tif 000004
【図３】
2004161432.tif 000005